(57)【特許請求の範囲】
【請求項１】
前面に空気吹出口を有し、後面に空気吸込口を有する直方体形状の筐体を備え、上記筐体の内部が、仕切板によって室内熱交換器を収納する上記空気吹出口側の熱交換器室と、送風ファンを収納する上記空気吸込口側の送風機室とに区画されており、上記筐体には、上記熱交換器室の底面を形成する熱交換器室底板と、上記送風機室の底面を形成する送風機室底板とが取り外し可能に取り付けられているダクト型空気調和機において、
上記仕切板は、上記筐体内においてその天面から上記熱交換器室底板にかけて配置される仕切板本体と、上記仕切板本体の上記熱交換器室底板側の一端から上記熱交換器室底板に沿って折り曲げられたフランジ部とを有し、
上記熱交換器室底板および上記送風機室底板の互いに対向する辺には、それぞれ上記筐体の天面側に向けて直角に折り曲げられた補強片が設けられており、
上記フランジ部は、上記熱交換器室底板がネジ止めされる第１ネジ止め部と、上記送風機室底板がネジ止めされる第２ネジ止め部とを有し、上記第１ネジ止め部と上記第２ネジ止め部の間には、上記各補強片を収納するための凹部が設けられていることを特徴とするダクト型空気調和機。
【請求項２】
上記フランジ部は、上記送風機室側に張り出すように形成されていることを特徴とする請求項１に記載のダクト型空気調和機。
【発明の詳細な説明】
【技術分野】
【０００１】
本発明は、天井スラブと天井パネルとの間に形成された空間に収納されるダクト型空気調和機に関し、さらに詳しく言えば、筐体の一部を構成する底面板の構造に関する。
【背景技術】
【０００２】
空気調和機の１つとして、ダクト型空気調和機がある（例えば、特許文献１参照）。図６に示すように、ダクト型空気調和機１は、内部に熱交換器３や送風ファン４を収納した室内機ユニット２を有し、この室内機ユニット２は、天井スラブＳと天井パネルＰとの間に形成された空間に吊り下げて保持される。
【０００３】
ダクト型空気調和機１を設置するにあたっては、天井パネルＰの所定箇所に空気吸込グリル５と空気吹出グリル７とが設けられ、室内機ユニット２の送風ファン４側の空気吸込口（図６では右側面側）に吸込ダクト６を介して空気吸込グリル５が接続され、熱交換器３側の空気吹出口（図６では左側面側）には送風ダクト８と吹出チャンバ装置９を介して空気吹出グリル７が接続される。
【０００４】
送風ファン４の運転に伴って、空気吸込グリル５から室内空気が吸い込まれ、吸込ダクト６を介して室内機ユニット２に導かれ、熱交換器３にて冷媒と熱交換され、熱交換された調和空気（冷気もしくは暖気）は、送風ダクト８および吹出チャンバ装置９を通って空気吹出グリル７より室内に向けて吹き出される。
【０００５】
このダクト型空気調和機１によれば、天井パネルＰに設けられるのは空気吸込グリル５と空気吹出グリル７だけで、室内機ユニット２や吸込ダクト６、送風ダクト７等のダクト類は天井パネルＰによって隠されるため、天井面の美観をよくすることができる。
【０００６】
ところで、室内機ユニット２の筐体内は、仕切板２Ａによって熱交換器３が収納される熱交換器室３Ａと、送風ファン４が収納される送風機室４Ａとに区画されるが、設置後に内部部品のメンテナンスを行えるようにするため、図７に示すように、熱交換器室３Ａと送風機室４Ａの各底面に、板金による底板３Ｂ，４Ｂが取り外し可能に取り付けられる。
【０００７】
なお、以下の説明において、熱交換器室３Ａ側の底面を覆う底板３Ｂを「熱交換器室底板」、送風機室４Ａ側の底面を覆う底板４Ｂを「送風機室底板」と言うことがある。また、図７において、参照符号３Ｃが付されている部分は熱交換器３のドレンパンである。
【０００８】
底板３Ｂ，４Ｂの取り付けはネジ止めであるが、この従来技術では、熱交換器室底板３Ｂはその一端が送風機室４Ａ側に張り出す大きさを有し、まず、熱交換器室底板３Ｂを熱交換器室３Ａ側の底面に配置して仕切板２Ａの下端側に形成されているフランジ板（フランジ部）２Ｂにネジ止めしたのち、送風機室底板４Ｂをその一端が熱交換器室底板３Ｂの端部と重なるようにして送風機室４Ａ側の底面に配置して、送風機室底板４Ｂの端部を熱交換器室底板３Ｂの端部にネジ止めするようにしている（ネジは図示を省略）。
【先行技術文献】
【特許文献】
【０００９】
【特許文献１】特開２０１１−２０８８４７号公報
【発明の概要】
【発明が解決しようとする課題】
【００１０】
しかしながら、上記のように底板３Ｂ，４Ｂがネジ止めされているため、メンテナンス時に次のような問題が生ずる。
【００１１】
すなわち、送風機室４Ａ内の部品のメンテナンス時には、送風機室底板４Ｂのみを取り外せばよいが、熱交換器室３Ａ内の部品のメンテナンス時には、送風機室底板４Ｂを外してから熱交換器室底板３Ｂを外さなくてはならない。
【００１２】
また、熱交換器室３Ａ内の部品のメンテナンス終了時には、熱交換器室底板３Ｂをネジ止めしたのち、送風機室底板４Ｂもネジ止めしなくてはならない。このような作業を天井裏の狭い空間で行うことは、作業者にとって余計な負担が強いられることになる。さらに、熱交換器室底板３Ｂに送風機室底板４Ｂの重なる部分は平板状となるが、平板状であると、板金は変形しやすくなる。
【００１３】
そこで、本発明の課題は、室内機ユニットの筐体に対して、熱交換器室側の熱交換器室底板と送風機室側の送風機室底板の変形を防ぎ、それらを個別に着脱できるダクト型空気調和機を提供することにある。
【課題を解決するための手段】
【００１４】
上述した課題を解決するため、本発明は、前面に空気吹出口を有し、後面に空気吸込口を有する直方体形状の筐体を備え、上記筐体の内部が、仕切板によって室内熱交換器を収納する上記空気吹出口側の熱交換器室と、送風ファンを収納する上記空気吸込口側の送風機室とに区画されており、上記筐体には、上記熱交換器室の底面を形成する熱交換器室底板と、上記送風機室の底面を形成する送風機室底板とが取り外し可能に取り付けられているダクト型空気調和機において、上記仕切板は、上記筐体内においてその天面から上記熱交換器室底板にかけて配置される仕切板本体と、上記仕切板本体の上記熱交換器室底板側の一端から上記熱交換器室底板に沿って折り曲げられたフランジ部とを有し、上記熱交換器室底板および上記送風機室底板の互いに対向する辺には、それぞれ上記筐体の天面側に向けて直角に折り曲げられた補強片が設けられており、上記フランジ部は、上記熱交換器室底板がネジ止めされる第１ネジ止め部と、上記送風機室底板がネジ止めされる第２ネジ止め部とを有し、上記第１ネジ止め部と上記第２ネジ止め部の間には、上記各補強片を収納するための凹部が設けられていることを特徴としている。
【００１５】
より好ましい態様として、上記フランジ部は上記送風機室側に張り出すように形成されている。
【発明の効果】
【００１６】
本発明によれば、熱交換器室底板と送風機室底板の変形を防ぎ、仕切板を介して筐体の底面に熱交換器室底板と送風機室底板をそれぞれ個別に着脱できるようにしたことにより、熱交換器室内の部品のメンテナンス時には熱交換器室底板のみを外せばよく、また、送風機室内の部品のメンテナンス時には送風機室底板のみを外せばよく、メンテナンス作業性が向上する。
【００１７】
また、仕切板のフランジ部を送風機室側に張り出すように形成したことにより、熱交換器室内の部品のメンテナンス時に、熱交換器室底板とともに、熱交換器室底板と熱交換器との間に配置されたドレンパンも容易に取り出すことができる。
【図面の簡単な説明】
【００１８】
【図１】本発明の一実施形態に係るダクト型空気調和機が備える室内機ユニットを示す底面側斜視図。
【図２】上記室内機ユニットから熱交換器室底板、送風機室底板および側面板の部品を取り外した状態を示す底面側斜視図。
【図３】図２の一部分を拡大した底面側斜視図。
【図４】（ａ）熱交換器室底板の斜視図，（ｂ）送風機室底板の斜視図。
【図５】熱交換器室底板と送風機室底板を仕切板にネジ止めした状態を示す部分拡大断面図。
【図６】従来のダクト型空気調和機の構成を説明する模式図。
【図７】上記従来のダクト型空気調和機における底板の取り付け部分を示す拡大断面図。
【発明を実施するための形態】
【００１９】
次に、図１ないし図５を参照して、本発明の実施形態について説明するが、本発明はこれに限定されない。
【００２０】
図１に示すように、このダクト型空気調和機の室内機ユニット１Ａは、直方体状の筐体１０を備えている。筐体１０は、長方形状の天板１１と、天板１１の両側辺にほぼ直角として設けられた側面板１２ａ，１２ｂと、側面板１２ａ，１２ｂの天板１１とは反対側の端部間に取り付けられる熱交換器室底板１３および送風機室底板１４とを備え、前面側と後面側は開口されている。なお、筐体１０の組立は、天板１１を底にして、後述する各部品を組み付けて、最後に熱交換器室底板１３と送風機室底板１４を組み付ける。また、設置するときには天板１１が上になるように天地逆にする。よって、説明の便宜上、図１において筐体１０は天地が逆様として示されている（図２，図３も同様）。
【００２１】
図２を併せて参照して、筐体１０は、その内部が仕切板２０によって熱交換器１５を収納する熱交換器室ＨＣと、送風ファン１６を収納する送風機室ＦＣとに区画されており、筐体１０の熱交換器室ＨＣ側の前面１０ａには、調和空気を吹き出す空気吹出口１７が形成されており、送風機室ＦＣ側の後面１０ｂには、室内空気を筐体１０内に取り込む空気吸込口１８が形成されている。
【００２２】
筐体１０は、天板１１を上側、熱交換器室底板１３および送風機室底板１４を下側（底面側）として、先の図６に示したように、天井スラブＳと天井パネルＰとの間に形成された空間内に吊りボルトを介して保持され、空気吸込口１８と空気吸込グリル５とが吸気ダクト６を介して連結され、空気吹出口１７と空気吹出グリル７とが送風ダクト８および吹出チャンバ装置９を介して連結される。図示していないが、この室内機ユニット１Ａは、冷媒配管を介して室外機ユニットに接続される。
【００２３】
筐体１０の送風機室ＦＣの側面（図１では右側面）には、電装品箱１９が設けられている。電装品箱１９は、内部に電源ユニットや回路基板（ともに図示しない）が収納されており、内部に水が入り込まないように周囲が防水シールされている。電装品箱１９は、固定フレーム３０とともに天板１１にネジ止めされている。
【００２４】
天板１１は、板金製で筐体１０の天面を覆い、その両側辺には、室内機ユニット１Ａを、図示しない吊りボルトを介して天井スラブに吊り下げるための吊り金具１１１が左右２箇所ずつ（合計４箇所）設けられている。
【００２５】
側面板１２ａ，１２ｂは、板金製で筐体１０の側面を覆い、天板１１と仕切板２０の側面にネジ止めされている。
【００２６】
熱交換器室底板１３と送風機室底板１４は、筐体１０の底面に配置され、メンテナンス時に取り外される。
【００２７】
この実施形態において、熱交換器室底板１３は、図４（ａ）に示すように、１枚の長方形状の金属板からなり、底面１０ａの熱交換器室ＨＣ側を覆うように筐体１０に取り付けられる。熱交換器室底板１３の四辺にはそれぞれ、内側（筐体１０側）に向けてほぼ直角に折り曲げられた補強片１３１が形成されている。
【００２８】
熱交換器室底板１３には、ネジ止め用のネジ孔１３２が複数穿設されており、熱交換器室底板１３を筐体１０にネジ止めすることにより、熱交換器室底板１３が熱交換器室ＨＣの底面となる。熱交換器室底板１３は、図５に示すように、その一端側に送風機室ＦＣ側にはみ出す突出端部１３ａを備えている。
【００２９】
送風機室底板１４も、１枚の長方形状の金属板からなり、底面１０ａの送風機室ＦＣ側を覆うように筐体１０に取り付けられる。送風機室底板１４の長手方向の側辺にはそれぞれ、内側（筐体１０側）に向けてほぼ直角に折り曲げられた補強片１４１が形成されている。
【００３０】
各補強片１３１，１４１は、板金製の熱交換器室底板１３および送風機室底板１４の機械的強度を高めるために形成されており、各補強片１３１，１４１を設けることで外力による変形を防ぐことができる。
【００３１】
送風機室底板１４には補強片１４１の部分を含めて、ネジ止め用のネジ孔１４２が複数穿設されており、送風機室底板１４を筐体１０の一部にネジ止めすることにより、送風機室底板１４が送風機室ＦＣの底面を形成する。
【００３２】
送風機室底板１４は、上記したように熱交換器室底板１３の一端側の突出端部１３ａが送風機室ＦＣ側にはみ出している分、送風機室ＦＣの底面の前後方向の長さよりも幅が狭くされている。すなわち、図５に示すように、熱交換器室底板１３と送風機室底板１４は、重なり合う部分を持たない。
【００３３】
この実施形態において、熱交換器１５には、板状に形成された２つのフィン型熱交換器の各一端を互いに突き合わせて「横向きＶ字」に連結した熱交換器が用いられ、その連結部側が空気吹出口１７を向くように配置されている（図６参照）。
【００３４】
図２に示すように、送風ファン１６は、出力軸１６２を両端に有する両軸型のファンモータ１６１と、出力軸１６２に同軸に取り付けられたシロッコファン１６３とを有し、この実施形態では、１台のファンモータ１６１に４台のシロッコファン１６３が連結されている。シロッコファン１６３の形状や数は、仕様に応じて任意に選択されてよい。
【００３５】
図３を併せて参照して、仕切板２０は、天板１１の前後方向のほぼ中央にネジ止めされ、筐体１０の底面１０ａ，１０ｂ側に向けて配置された仕切板本体２１と、仕切板本体２１の下端（図３では上端）を筐体１０の底面１０ａに沿って平行となるように折り曲げてなるフランジ部（フランジ部）２２とから形成されている。
【００３６】
熱交換器室ＨＣ側には、ドレンパン４０が熱交換器１５の底面側（図２では上面側）の全面を覆うように配置されているため、仕切板２０は、フランジ部２２が送風機室ＦＣ側に向けて張り出すように折り曲げられていることが好ましい。
【００３７】
この実施形態において、仕切板２０は、天板１１の一方の側面から他方の側面までに至る長さに形成されている。仕切板２０の天板１１側の端部２１１は、熱交換器室ＨＣ側にフランジ状に折り曲げれており、その端部２１１と天板１１とがネジ止めされている（図３参照）。
【００３８】
仕切板本体２１には、熱交換器室ＨＣと送風機室ＦＣとを連通する図示しない連通孔が設けられており、その各連通孔にシロッコファン１６３の吹出口が合致するように、各シロッコファン１６３が仕切板本体２１の送風機室ＦＣ側の面にネジ止めされている。
【００３９】
図３および図５を参照して、フランジ部２２は、熱交換器室底板１３の突出端部１３ａがネジ止めされる第１ネジ止め部２３と、送風機室底板１４の端部１４ａ（仕切板２０寄り側の端部）がネジ止めされる第２ネジ止め部２４とを備え、第１ネジ止め部２３と第２ネジ止め部２４との間には、補強片１３１，１４１を収納するための凹部２５が設けられている。
【００４０】
第１ネジ止め部２３には、熱交換器室底板１３の突出端部１３ａをネジ止めするためのネジ孔２３１が所定の間隔で複数設けられている。同様に、第２ネジ止め部２４にも、送風機室底板１４の端部１４ａをネジ止めするためのネジ孔２４１が所定の間隔で複数設けられている。
【００４１】
凹部２５は、第１ネジ止め部２３と第２ネジ止め部２４との間を例えばプレス加工によって送風機室ＦＣ側の天板１１側に向かって左右方向の断面がＵ字状になるように凹ませることにより形成され、フランジ部２２の長手方向に沿って延在している。
【００４２】
ネジ止め部２３，２４に熱交換器室底板１３および送風機室底板１４を載せ、ネジＳ１，Ｓ２でネジ止めする際、互いに向き合うように配置された補強片１３１，１４１がともに凹部２５内に収納されるように、収納凹部２５は、その深さＤが補強片１３１，１４１の高さＨよりも深く形成される。
【００４３】
各パネル１３，１４を筐体１０に取り付けるには、熱交換器室底板１３の端部の補強板１３１を凹部２５内に差し込んで、熱交換器室底板１３の突出端部１３ａを筐体１０の底面１０ａの熱交換器室ＨＣ側に被せて、熱交換器室底板１３と第１ネジ止め部２３とをネジＳ１でネジ止めする。
【００４４】
同様に、送風機室底板１４の端部の補強板１４１を凹部２５内に差し込んで、送風機室底板１４を筐体１０の底面１０ａの送風機室ＦＣ側に被せて、送風機室底板１４の端部１４ａと第２ネジ止め部２４とをネジＳ２でネジ止めする。
【００４５】
このように、仕切板２０のフランジ部２２に熱交換器室ＨＣ側の熱交換器室底板１３と、送風機室ＦＣ側の送風機室底板１４とをそれぞれ個別にネジ止めすることができ、また、個別に取り外すことができるため、メンテナンス時の作業性が向上する。
【００４６】
この実施形態において、凹部２５は断面Ｕ字状に形成されていて、そこに補強片１３１，１４１が収納されているが、補強片１３１，１４１が筐体１０に干渉することなく、熱交換器室底板１３と送風機室底板１４とを筐体１０の底面１０ａに沿って平行となるように取り付けることができればよく、凹部２５の断面はＶ字状、台形状など任意の形状でよい。また、凹部２５に代えて、例えば補強片１３１，１４１を差し込むスリット溝のような形状であってもよい。
【符号の説明】
【００４７】
１  ダクト型空気調和機
１Ａ  室内機ユニット
１０  筐体
１１  天板
１２ａ，１２ｂ  側面板
１３  熱交換器室底板
１３１  補強片
１４  送風機室底板
１４１  補強片
１５  熱交換器
１６  送風ファン
１７  空気吹出口
１８  空気吸込口
１９  電装品箱
２０  仕切板
２１  仕切板本体
２２  フランジ部
２３  第１ネジ止め部
２４  第２ネジ止め部
２５  凹部
３０  固定フレーム
４０  ドレンパン
ＦＣ  送風機室
ＨＣ  熱交換器室
【図１】
0006439936.tif 000002
【図２】
0006439936.tif 000003
【図３】
0006439936.tif 000004
【図４】
0006439936.tif 000005
【図５】
0006439936.tif 000006
【図６】
0006439936.tif 000007
【図７】
0006439936.tif 000008